(57)【要約】【課題】回路規模および部品点数を増加させることなく、同じ無線周波数帯域を用いた少なくとも２つの異なる無線通信方式の運用を可能にする。【解決手段】同じ無線周波数帯域を用いる少なくとも２つの異なる無線通信方式に対して共通に使用可能なダウンコンバータ１０１と、前記少なくとも２つの異なる無線通信方式を受信する際に最適なＣ／Ｎ比を選択することが可能な局部発振信号源１０２とを備え、前記局部発振信号源１０２を、分周器１０３，切替スイッチ１０４，第１の電圧制御発振器１０５ａ，第２の電圧制御発振器１０５ｂ、および周波数シンセサイザ１０６によって構成することにより、従来、異なる無線通信方式のそれぞれに必要であった受信用ダウンコンバータを共用可能にし、無線周波数帯域を受信する回路系統の削減化を図る。【選択図】図１
2006186718.tif 000002
【特許請求の範囲】
【請求項１】
同じ無線周波数帯域を用いる少なくとも２つの異なる無線通信方式に対して共通に使用可能であり、無線周波数をベースバンド周波数に変換するダウンコンバータと、
前記少なくとも２つの異なる無線通信方式を受信する際に、最適なＣ／Ｎ比を選択可能な局部発振信号源とを備え、
前記局部発振信号源の出力に基づき、前記ダウンコンバータにより周波数変換を行うことを特徴とする無線受信装置。
【請求項２】
同じ無線周波数帯域を用いる少なくとも２つの異なる無線通信方式に対して共通に使用可能であり、無線周波数をベースバンド周波数に変換するダウンコンバータと、
前記少なくとも２つの異なる無線通信方式を受信する際に、それぞれの無線通信方式に最適なＣ／Ｎ比を有する少なくとも２つの局部発振信号源と、
前記少なくとも２つの局部発振信号源を選択する切替手段とを備え、
前記切替手段によって選択された前記少なくとも２つの局部発振信号源のいずれかの出力に基づき、前記ダウンコンバータにより周波数変換を行うことを特徴とする無線受信装置。
【請求項３】
前記２つの異なる無線通信方式として、第１の方式をＴＤＭＡ（Time Division Multiple Access）方式とし、第２の方式をＣＤＭＡ（Code Division Multiple Access）方式としたことを特徴とする請求項１または２記載の無線受信装置。
【請求項４】
請求項３に記載の無線受信装置と、
前記各無線通信方式に対応する無線送信装置とを備え、
ＴＤＭＡ方式を受信する際に用いる局部発振信号源は、ＴＤＭＡ方式を送信する際に用いる局部発振信号源と、その構成要素の一部またはすべてを共用することを特徴とする無線送受信装置。
【請求項５】
請求項３に記載の無線受信装置と、
前記各無線通信方式に対応する無線送信装置とを備え、
ＴＤＭＡ方式を受信する際に用いる局部発振信号源は、ＣＤＭＡ方式およびＴＤＭＡ方式を送信する際に用いる局部発振信号源と、その構成要素の一部またはすべてを共用することを特徴とする無線送受信装置。
【請求項６】
請求項４または５に記載の無線送受信装置と、
無線受信装置の入力と無線送信装置の出力とを、それぞれの周波数に応じて分岐するデュプレクサとを備えたことを特徴とする無線送受信装置。
【請求項７】
請求項４または５に記載の無線送受信装置と、
無線受信装置の入力に一方の端子を接続した受信信号周波数帯域のみを通過させることが可能なフィルタと、
前記フィルタの他方の端子に出力端子を接続した高周波アンプと、
前記高周波アンプの入力信号と無線送信装置の出力信号とを、それぞれの周波数に応じて分岐するデュプレクサとを備えたことを特徴とする無線送受信装置。
【請求項８】
請求項４または５に記載の無線送受信装置と、
無線受信装置の入力と無線送信装置のうちのＣＤＭＡ方式における出力とを、それぞれの周波数に応じて分岐するデュプレクサとを備えたことを特徴とする無線送受信装置。
【請求項９】
請求項４または５に記載の無線送受信装置と、
無線受信装置の入力に一方の端子を接続した受信信号周波数帯域のみを通過させることが可能なフィルタと、
前記フィルタの他方の端子に出力端子を接続した高周波アンプと、
前記高周波アンプの入力と無線送信装置のうちのＣＤＭＡ方式における出力とを、それぞれの周波数に応じて分岐するデュプレクサとを備えたことを特徴とする無線送受信装置。
【請求項１０】
請求項６または７に記載の無線送受信装置と、
前記無線送受信装置に接続して、無線周波数を送受信するアンテナと、
前記無線送受信装置に接続されたベースバンド処理手段とを備えたことを特徴とする移動体端末装置。
【請求項１１】
少なくとも２つの無線周波数に対して用いられる少なくとも２つの請求項６または７に記載の無線送受信装置と、
前記少なくとも２つの無線送受信装置のそれぞれのデュプレクサを接続して、少なくとも２つの無線周波数を切り替えるスイッチと、
前記スイッチに接続して、少なくとも２つの無線周波数を送受信するアンテナと、
前記少なくとも２つの無線送受信装置に接続されたベースバンド処理手段とを備えたことを特徴とする移動体端末装置。
【請求項１２】
請求項８または９に記載の無線送受信装置と、
前記無線送受信装置および無線送信装置のうちのＴＤＭＡ方式における出力を接続して、これらを切り替えるスイッチと、
前記スイッチに接続して無線周波数を送受信するアンテナと、
前記無線送受信装置に接続されたベースバンド処理手段とを備えたことを特徴とする移動体端末装置。
【請求項１３】
少なくとも２つの無線周波数に対して用いられる少なくとも２つの請求項８または９に記載の無線送受信装置と、
前記少なくとも２つの無線送受信装置のそれぞれのデュプレクサ、および前記少なくとも２つの無線送信装置のうちのＴＤＭＡ方式における出力を接続して、これらを切り替えるスイッチと、
前記スイッチに接続して、少なくとも２つの無線周波数を送受信するアンテナと、
前記少なくとも２つの無線送受信装置に接続されたベースバンド処理手段とを備えたことを特徴とする移動体端末装置。
【発明の詳細な説明】
【技術分野】
【０００１】
本発明は、２つの異なる移動体通信システムに使用可能な無線受信装置、およびその無線受信装置を搭載した無線送受信装置ならびに移動体端末装置に関するものである。
【背景技術】
【０００２】
近年、携帯電話においてはＧＳＭ（Global System for Mobile Communications）などのＴＤＭＡ方式（時分割多元接続：Time Division Multiple Access）と、ＵＭＴＳ（Universal Mobile Telecommunications System）などのＣＤＭＡ方式（符号分割多重接続：Code Division Multiple Access）とを切り替えて用いることのできる複数方式移動体端末装置の運用が開始されている（特許文献１参照）。
【０００３】
図４はＧＳＭとＵＭＴＳとの複数の方式での運用が可能な移動体端末装置の構成を示すブロック図である。
【０００４】
図４に示す移動体端末装置は、ＧＳＭにおける８５０ＭＨｚ帯域，９００ＭＨｚ帯域，１.８ＧＨｚ帯域，１.９ＧＨｚ帯域の無線信号の送受信と、ＵＭＴＳにおける１.９ＧＨｚ帯域または２ＧＨｚ帯域の無線信号の送受信を行うことが可能であるが、ここではＵＭＴＳとして１.９ＧＨｚ帯域を用いることを想定して説明をする。
【０００５】
図４において、４０１はアンテナ、４０２はアンテナスイッチ、４０３はデュプレクサ、４０４は高周波アンプ、４０５ａは１.９ＧＨｚ帯域通過フィルタ、４０５ｂは８５０ＭＨｚ帯域通過フィルタ、４０５ｃは９００ＭＨｚ帯域通過フィルタ、４０５ｄは１.８ＧＨｚ帯域通過フィルタ、４０５ｅは１.９ＧＨｚ帯域通過フィルタ、４０６ａは１.９ＧＨｚ帯域の無線周波数をベースバンド帯域に変換する第１のダウンコンバータ、４０６ｂは８５０ＭＨｚ，９００ＭＨｚ，１.８ＧＨｚ，１.９ＧＨｚの各帯域の無線周波数をベースバンド帯域に変換する第２のダウンコンバータ、４０７ａは第１の局部発振信号源、４０７ｂは第２の局部発振信号源、４０８はベースバンド処理装置、４０９は送信装置である。
【０００６】
以上のように構成された移動体端末装置について、以下にその動作を説明する。
【０００７】
まず、ＵＭＴＳ無線信号を送受信する場合について説明する。
【０００８】
アンテナ４０１によって受信された１.９ＧＨｚ帯域のＵＭＴＳ無線信号は、アンテナスイッチ４０２，デュプレクサ４０３，高周波アンプ４０４を経て、１.９ＧＨｚ帯域通過フィルタ４０５ａによって帯域制限を受けた後に、第１のダウンコンバータ４０６ａによって第１の局部発振信号源４０７ａの出力信号と混合されてベースバンド帯域信号に周波数変換され、ベースバンド処理装置４０８によって適切な処理が施される。
【０００９】
そして、ベースバンド処理装置４０８および送信装置４０９によって生成されたＵＭＴＳ無線信号は、デュプレクサ４０３およびアンテナスイッチ４０２を経て、アンテナ４０１から送信される。
【００１０】
次に、ＧＳＭ無線信号を送受信する場合について説明する。
【００１１】
アンテナ４０１によって受信された１.９ＧＨｚ帯域のＧＳＭ無線信号は、アンテナスイッチ４０２を経て、１.９ＧＨｚ帯域通過フィルタ４０５ｅによって帯域制限を受けた後に、第２のコンバータ４０６ｂによって第２の局部発振信号源４０７ｂの出力信号と混合されてベースバンド帯域信号に周波数変換され、ベースバンド処理装置４０８によって適切な処理が施される。
【００１２】
また、アンテナ４０１から受信されたその他の帯域のＧＳＭ無線信号は、アンテナスイッチ４０２を経て、８５０ＭＨｚ帯域通過フィルタ４０５ｂ，９００ＭＨｚ帯域通過フィルタ４０５ｃ、または１.８ＧＨｚ帯域通過フィルタ４０５ｄによって帯域制限を受けた後に、第２のコンバータ４０６ｂによって第２の局部発振信号源４０７ｂの出力信号と混合されてベースバンド帯域信号に周波数変換され、ベースバンド処理装置４０８によって適切な処理が施される。
【００１３】
そして、ベースバンド処理装置４０８および送信装置４０９によって生成されたＧＳＭ無線信号は、アンテナスイッチ４０２を経てアンテナ４０１から送信される。
【００１４】
このように図４に示す移動体端末装置では、同じ周波数帯域であってもＵＭＴＳとＧＳＭの無線信号を、それぞれ別の系統を経てベースバンド周波数帯域に周波数変換することにより、複数の方式での運用が可能な構成になっている。
【特許文献１】米国特許出願公開第２００４／０１８９５２６号明細書
【非特許文献１】Ｂｅｈｚａｄ Ｒａｚａｖｉ著，「ＲＦ Ｍｉｃｒｏｅｌｅｃｔｒｏｎｉｃｓ」，Ｐｒｅｎｔｉｃｅ Ｈａｌｌ社，１５５頁
【非特許文献２】立川敬二監修，「Ｗ−ＣＤＭＡ移動通信方式」，丸善(株)，２１９頁
【発明の開示】
【発明が解決しようとする課題】
【００１５】
しかしながら、図４に示すような構成において、複数の方式での運用が可能な移動体端末装置では、同じ無線周波数帯域を用いる場合であっても、別系統の無線受信回路を用意する必要がある。
【００１６】
特にＵＭＴＳとＧＳＭは、１.９ＧＨｚ帯域のみならず、８５０ＭＨｚ帯域と１.８ＧＨｚ帯域においても、同一の周波数帯域を利用することが可能であるため、これらの周波数帯域にもＧＳＭとＵＭＴＳにおいて別系統の無線受信回路を用意することは、回路規模および部品点数が非常に大きくなってしまうという課題が生じる。
【００１７】
本発明は、前記課題を解決するため、回路規模および部品点数を増加させることなく、同じ無線周波数帯域を用いた少なくとも２つの異なる無線通信方式の運用が可能な無線受信装置および無線送受信装置ならびに移動体端末装置を提供することを目的とする。
【課題を解決するための手段】
【００１８】
前記目的を達成するため、本発明は、同じ無線周波数帯域を用いる少なくとも２つの異なる無線通信方式に対して共通に使用可能なダウンコンバータと、少なくとも２つの異なる無線通信方式を受信する際に最適なＣ／Ｎ比を選択可能である局部発振信号発生源によって構成されることを特徴とするものである。
【００１９】
この構成によって、従来、少なくとも２つの異なる方式のそれぞれに必要であった受信用ダウンコンバータを共用することが可能になるため、無線周波数帯域を受信する回路系統の数を削減することができ、回路規模および部品点数の増大化を抑制することができる。
【発明の効果】
【００２０】
本発明によれば、同じ無線周波数帯域を用いる少なくとも２つの異なる方式に対して共通に使用可能なダウンコンバータと、少なくとも２つの異なる方式を受信する際に最適なＣ／Ｎ比を選択可能である局部発振信号発生源とにより無線受信装置を構成することによって、従来、少なくとも２つの異なる方式のそれぞれに必要であった受信用のダウンコンバータを共用することが可能になり、無線周波数帯域を受信する回路系統の数を削減することができるため、回路規模および部品点数の増大化を避けることが可能な無線受信装置、その無線受信装置を搭載した無線送受信装置および移動体端末装置が実現する。
【発明を実施するための最良の形態】
【００２１】
以下、本発明の実施形態について図面を参照しながら説明する。
【００２２】
図１は本発明による無線受信装置の実施形態における構成の一例を示すブロック図である。
【００２３】
図１において、１０１はダウンコンバータ、１０２は局部発振信号源、１０３は分周器、１０４は切替スイッチ、１０５ａは第１の電圧制御発振器、１０５ｂは第２の電圧制御発振器、１０６は周波数シンセサイザであり、分周器１０３，切替スイッチ１０４，第１の電圧制御発振器１０５ａ，第２の電圧制御発振器１０５ｂ、および周波数シンセサイザ１０６によって、局部発振信号源１０２が構成されている。
【００２４】
以上のように構成された無線受信装置について、以下にその動作を説明する。
【００２５】
ここでは、同じ無線周波数帯域を用いる少なくとも２つの異なる無線通信方式として、ＧＳＭとＵＭＴＳとを１.９ＧＨｚ帯域において共用する場合について説明する。
【００２６】
非特許文献１，２によれば、ＧＳＭとＵＭＴＳの基準感度点における受信系の所要ＮＦは、どちらも９ｄＢとすることができ、ＧＳＭとＵＭＴＳは、同じ１.９ＧＨｚ帯域でのダウンコンバータ１０１の共用が可能である。
【００２７】
局部発振信号源１０２に求められる性能のひとつにＣ／Ｎ比がある。受信した希望信号と妨害信号とが、あるＣ／Ｎ比をもつ局部発振信号と混合されて周波数変換されるとき、それぞれの信号は局部発振信号のＣ／Ｎ比に比例したノイズスペクトラムが付加される。このとき、妨害信号に付加されたノイズスペクトラムが希望信号の周波数帯域と重なることにより、希望信号のノイズレベルを劣化させることがある。これをレシプロカルミキシングという。
【００２８】
このレシプロカルミキシングを防ぐためには、局部発振信号源１０２のＣ／Ｎ比を抑える必要がある。
【００２９】
例えばＧＳＭにおいてどの程度のＣ／Ｎ比が必要となるかを計算する。
【００３０】
ＧＳＭにおける基準感度入力レベルは−１０２ｄＢｍと規定されている。
【００３１】
受信系のＮＦを９ｄＢであるとすると、受信系に許容されるノイズの入力換算値は、熱雑音値から９ｄＢ大きい−１６５ｄＢｍ／Ｈｚとなる。
【００３２】
一方、妨害波入力条件のひとつである３ＭＨｚ妨害波の入力条件では、入力レベル−９９ｄＢｍの希望信号とともに入力レベル−２３ｄＢｍの３ＭＨｚ離調信号を入力しなければならない。
【００３３】
入力レベルが基準感度入力レベルよりも３ｄＢ大きいので、受信系に許容されるノイズの入力換算値も３ｄＢ加算されて−１６２ｄＢｍ／Ｈｚとなる。いいかえれば許容されるノイズの増加分は−１６５ｄＢｍ／Ｈｚである。
【００３４】
この増加分を、レシプロカルミキシングによって希望信号帯域に発生するノイズの許容値であるとすると、局部発振信号源１０２に許容されるＣ／Ｎ比は、妨害信号入力レベルとの比であるから−１４２ｄＢｃ／Ｈｚとなる。
【００３５】
次に、ＵＭＴＳにおいてどの程度のＣ／Ｎ比が必要になるかを考察する。
【００３６】
ＵＭＴＳにおける基準感度入力レベルは、１.９ＧＨｚ帯域においては−１１５ｄＢｍである。
【００３７】
一方、妨害波入力条件のひとつである隣接チャンネル選択度の入力条件では、基準感度入力レベルよりも１４ｄＢ大きい−１０１ｄＢｍの希望信号とともに入力レベル−５２ｄＢｍの５ＭＨｚ離調信号を入力しなければならない。
【００３８】
ＵＭＴＳはＣＤＭＡ方式であり、希望信号と同じ周波数に他のユーザの信号が多重されているため、局部発振信号源に許容されるＣ／Ｎ比はＧＳＭと同じ計算で求めることはできないが、仮にレシプロカルミキシングによって発生するノイズの許容値をＧＳＭと同等の−１６５ｄＢｍ／Ｈｚであるとすると、局部発振信号源１０２に許容されるＣ／Ｎ比は−１１３ｄＢｃ／Ｈｚとなる。
【００３９】
以上のように、局部発振信号源１０２に許容されるＣ／Ｎ比は、ＧＳＭの−１４２ｄＢｃ／Ｈｚに対して、ＵＭＴＳの−１１３ｄＢｃ／Ｈｚとそれぞれの方式間で大きく異なる。
このように大きく異なる各無線通信方式に最適なＣ／Ｎ比をもつ局部発振信号源１０２を実現するために、Ｃ／Ｎ比の異なる第１の電圧制御発振器１０５ａと第２の電圧制御発振器１０５ｂを備え、それぞれの方式に応じて、これら第１の電圧制御発振器１０５ａおよび第２の電圧制御発振器１０５ｂの出力を切替スイッチ１０４で切り替える。
【００４０】
切替スイッチ１０４で選択された第１または第２の電圧制御発振器１０５ａ，１０５ｂの出力は、分周器１０３を経て、各方式に最適なＣ／Ｎ比をもつ局部発振信号源１０２の出力としてダウンコンバータ１０１へ供給され、受信された無線信号と混合してベースバンド信号に周波数変換を行う。
【００４１】
また、切替スイッチ１０４で選択された第１または第２の電圧制御発振器１０５ａ，１０５ｂの出力は、周波数シンセサイザ１０６にも供給され、第１の電圧制御発振器１０５ａまたは第２の電圧制御発振器１０５ｂが所定の無線周波数を保持するように制御する。
【００４２】
このような構成をとることにより、従来、少なくとも２つの異なる方式のそれぞれに必要であった受信用のダウンコンバータを共用することが可能になり、無線周波数帯域を受信する回路系統の数を削減することができるため、回路規模および部品点数の増大化を避けることが可能となる。
【００４３】
なお、本実施形態では最適なＣ／Ｎ比を得る方法として、電圧制御発振器を切り替える方法を説明したが、同じ機能を実現できる構成であればこの限りではない。
【００４４】
また、１.９ＧＨｚ帯域の無線信号について説明したが、これは別の無線周波数帯域においても同様である。
【００４５】
以下、本発明による無線送受信装置の実施形態について図面を参照しながら説明する。
【００４６】
図２は本発明による無線送受信装置の実施形態における構成の一例を示すブロック図である。
【００４７】
図２において、１０１はダウンコンバータ、１０２ａは第１の局部発振信号源、１０２ｂは第２の局部発振信号源、１０７は切替スイッチ、１０８は無線送信装置であり、１０９は、ダウンコンバータ１０１，第１の局部発振信号源１０２ａ，第２の局部発振信号源１０２ｂ，切替スイッチ１０７を構成要素とする無線受信装置、１１０はＣＤＭＡ送信出力、１１１はＴＤＭＡ送信出力、１１２はデュプレクサである。
【００４８】
以上のように構成された無線送受信装置について、以下にその動作を説明する。
【００４９】
例えば第１の局部発振信号源１０２ａはＧＳＭに最適なＣ／Ｎ比を備え、第２の局部発振信号源１０２ｂはＵＭＴＳに最適なＣ／Ｎ比を備えており、それぞれの出力を、受信する無線信号の方式に応じて切替スイッチ１０７によって選択し、ダウンコンバータ１０１へ供給するので、ダウンコンバータ１０１は、受信された無線信号の方式にかかわらずベースバンド信号へと周波数変換を行うことができる。
【００５０】
ＵＭＴＳなどのＣＤＭＡ方式では、無線送信装置は無線受信装置と同時に動作させる必要があるため、局部発振信号源を無線受信装置に用いるものとは別個に用意する必要がある。
【００５１】
しかし、図２の構成における無線受信装置１０９では、ＵＭＴＳを受信するために第２の局部発振信号源１０２ｂが動作しているときには、第１の局部発振信号源１０２ａは不要である。したがって、この第１の局部発振信号源１０２ａを無線送信装置１０８に用いることが可能である。
【００５２】
また、送信出力と受信入力とを分離するために、ＣＤＭＡ送信出力１１０とダウンコンバータ１０１の入力とを接続した、デュプレクサ１１２を使用する。
【００５３】
ＧＳＭなどのＴＤＭＡ方式においては送信時には無線受信装置１０９を動作させる必要はないため、無線送信装置１０８における周波数変換にも、第１の局部発振信号源１０２ａをやはり利用することが可能である。
【００５４】
また、送信出力と受信入力とは同時に存在しないため、ＴＤＭＡ送信出力１１１は、デュプレクサ１１２に接続せずに出力端子を直接設けることが可能である。
【００５５】
このような構成をとることにより、従来、少なくとも２つの異なる方式のそれぞれに必要であった受信用のダウンコンバータを共用することが可能になり、無線周波数帯域を受信する回路系統の数を削減することができるため、回路規模および部品点数の増大化を避けることが可能となる。
【００５６】
また、無線送信装置に用いる局部発振信号源を、無線受信装置に用いる局部発振信号源と共用することによって、無線送受信装置の構成要素数を削減することが可能となる。
【００５７】
なお、ＴＤＭＡ送信出力１１１は、出力端子を直接設けることが可能であるが、これをＣＤＭＡ送信出力１１０と共通化して、デュプレクサ１１２に接続してもよい。
【００５８】
また、デュプレクサ１１２とダウンコンバータ１０１とを直接接続しているが、受信性能の向上のために、この間に高周波アンプあるいは帯域通過フィルタを接続することも可能である。
【００５９】
以下、本発明による移動体端末装置の実施形態について図面を参照しながら説明する。
【００６０】
図３は本発明による移動体端末装置の実施形態における構成の一例を示すブロック図である。
【００６１】
図３において、１０１ａは第１のダウンコンバータ、１０１ｂは第２のダウンコンバータ、１０２ａは第１の局部発振信号源、１０２ｂは第２の局部発振信号源、１０７は切替スイッチ、１０８ａは第１の無線送信装置、１０８ｂは第２の無線送信装置、１１０ａは第１のＣＤＭＡ送信出力、１１０ｂは第２のＣＤＭＡ送信出力、１１１ａは第１のＴＤＭＡ送信出力、１１１ｂは第２のＴＤＭＡ送信出力、１１２ａは第１のデュプレクサ、１１２ｂは第２のデュプレクサ、２０１はアンテナ、２０２はアンテナスイッチ、２０３はベースバンド信号処理装置、２０４ａは第１の無線送受信装置、２０４ｂは第２の無線送受信装置であり、第１の無線送受信装置２０４ａと第２の無線送受信装置２０４ｂは、切替スイッチ１０７，第１の局部発振信号源１０２ａ、および第２の局部発振信号源１０２ｂを共有して、それぞれの構成要素としている。
【００６２】
以上のように構成された移動体端末装置について、以下にその動作を説明する。
【００６３】
ここで、第１の無線送受信装置２０４ａおよび第２の無線送受信装置２０４ｂが、それぞれの構成要素である、第１のダウンコンバータ１０１ａまたは第２のダウンコンバータ１０１ｂにおいて、切替スイッチ１０７によって選択された、それぞれＴＤＭＡ方式またはＣＤＭＡ方式に最適なＣ／Ｎ比を有する、第１の局部発振信号源１０２ａの出力または第２の局部発振信号源１０２ｂの出力により、受信された無線信号がベースバンド信号へ周波数変換されること、および第１の無線送信装置１０８ａまたは第２の無線送信装置１０８ｂにおいて、第１の局部発振信号源１０２ａを無線受信装置と共有することは、前記第２の実施形態と同様である。
【００６４】
第１の無線送受信装置２０４ａで送受信する無線周波数帯域を第１の無線周波数帯域とし、第２の無線送受信装置２０４ｂで送受信する無線周波数帯域を第２の無線周波数帯域としたとき、第１の局部発振信号源１０２ａと第２の局部発振信号源１０２ｂは、第１または第２の無線周波数帯域に対応した局部発振信号を出力する。
【００６５】
これは例えば図１における分周器１０３の分周数を、第１または第２の無線周波数帯域に対応して切り替えることにより実現することが可能である。
【００６６】
アンテナ２０１によって受信された、ＴＤＭＡまたはＣＤＭＡ方式の無線信号は、アンテナスイッチ２０２によって、その無線周波数帯域に応じて第１の無線送受信装置２０４ａまたは第２の無線送受信装置２０４ｂへの入力を選択され、そこでＴＤＭＡまたはＣＤＭＡに最適なＣ／Ｎ値によってベースバンド信号に変換されて、ベースバンド処理装置２０３によって適切な処理が施される。
【００６７】
そして、ベースバンド処理装置２０３および第１の無線送受信装置２０４ａによって生成されたＣＤＭＡ出力信号は、第１の無線送受信装置２０４ａの構成要素である第１のＣＤＭＡ出力信号１１０ａから、デュプレクサ１１２ａおよびアンテナスイッチ２０２を経てアンテナ２０１から第１の無線周波数帯域をもつ無線信号として送信され、同じくベースバンド処理装置２０３および第１の無線送受信装置２０４ａによって生成されたＴＤＭＡ出力信号は、第１のＴＤＭＡ出力信号１１１ａからアンテナスイッチ２０２を経てアンテナ２０１から第１の無線周波数帯域をもつ無線信号として送信される。
【００６８】
また、ベースバンド処理装置２０３および第２の無線送受信装置２０４ｂによって生成されたＣＤＭＡ出力信号は、第２の無線送受信装置２０４ｂの構成要素である第２のＣＤＭＡ出力信号１１０ｂから、デュプレクサ１１２ｂおよびアンテナスイッチ２０２を経てアンテナ２０１から第２の無線周波数帯域をもつ無線信号として送信され、同じくベースバンド処理装置２０３および第２の無線送受信装置２０４ｂによって生成されたＴＤＭＡ出力信号は、第２のＴＤＭＡ出力信号１１１ｂからアンテナスイッチ２０２を経てアンテナ２０１から第２の無線周波数帯域をもつ無線信号として送信される。
【００６９】
このような構成を採用することにより、従来、ＴＤＭＡとＣＤＭＡの各方式のそれぞれに必要であった、同じ無線周波数帯域を用いる無線受信装置を共用することが可能になり、受信回路系統の数を削減することができるため、回路規模および部品点数の増大化を避けることが可能となる。
【００７０】
なお、図３においては第１のＴＤＭＡ送信出力１１１ａおよび第２のＴＤＭＡ送信出力１１１ｂは、アンテナスイッチ２０２に直接接続しているが、これらを、それぞれ第１のＣＤＭＡ送信出力１１０ａおよび第２のＣＤＭＡ送信出力１１０ｂと共通化してもよい。
【００７１】
また、第１のデュプレクサ１１２ａと第１のダウンコンバータ１０１ａとを直接接続し、第２のデュプレクサ１１２ｂと第２のダウンコンバータ１０１ｂとを直接接続しているが、受信性能を向上するために、これらの間に高周波アンプあるいは帯域通過フィルタを接続することも可能である。
【産業上の利用可能性】
【００７２】
本発明は、２つの異なる移動体通信システムに使用可能な無線受信装置、その無線受信装置を搭載した無線送受信装置および移動体端末装置に適用され、特に回路規模および部品点数を増加させることなく、同じ無線周波数帯域を用いた少なくとも２つの異なる無線通信方式の運用を可能することが要求される無線受信装置および無線送受信装置ならびに移動体端末装置に実施して有効である。
【図面の簡単な説明】
【００７３】
【図１】本発明による無線受信装置の実施形態における構成の一例を示すブロック図
【図２】本発明による無線送受信装置の実施形態における構成の一例を示すブロック図
【図３】本発明による移動体端末装置の実施形態における構成の一例を示すブロック図
【図４】従来のＧＳＭとＵＭＴＳとの複数の方式での運用が可能な移動体端末装置の構成を示すブロック図
【符号の説明】
【００７４】
１０１  ダウンコンバータ
１０１ａ  第１のダウンコンバータ
１０１ｂ  第２のダウンコンバータ
１０２  局部発振信号源
１０２ａ  第１の局部発振信号源
１０２ｂ  第２の局部発振信号源
１０３  分周器
１０４  切替スイッチ
１０５ａ  第１の電圧制御発振器
１０５ｂ  第２の電圧制御発振器
１０６  周波数シンセサイザ
１０７  切替スイッチ
１０８  無線送信装置
１０８ａ  第１の無線送信装置
１０８ｂ  第２の無線送信装置
１０９  無線受信装置
１１０  ＣＤＭＡ送信出力
１１０ａ  第１のＣＤＭＡ送信出力
１１０ｂ  第２のＣＤＭＡ送信出力
１１１  ＴＤＭＡ送信出力
１１１ａ  第１のＴＤＭＡ送信出力
１１１ｂ  第２のＴＤＭＡ送信出力
１１２  デュプレクサ
１１２ａ  第１のデュプレクサ
１１２ｂ  第２のデュプレクサ
２０１  アンテナ
２０２  アンテナスイッチ
２０３  ベースバンド信号処理装置
２０４ａ  第１の無線送受信装置
２０４ｂ  第２の無線送受信装置
【図１】
2006186718.tif 000003
【図２】
2006186718.tif 000004
【図３】
2006186718.tif 000005
【図４】
2006186718.tif 000006